(57)【要約】      （修正有）【課題】サンゴの増殖又はサンゴ群体の成長を促進し、その生育範囲を拡大する育成手段を提供する。【解決手段】海底の設置面Ｓから立設された各支柱１に連結することで固定された略平面状の網状部材２上でサンゴＣを育成するサンゴ育成用構造物Ａであって、設置面Ｓよりも嵩上げされた高さｈ２、及び、設置面Ｓ近傍の高さｈ１、のいずれの位置にも、網状部材２を固定できるサンゴ育成用構造物Ａを提供する。サンゴＣを一定期間育成した後、サンゴＣが定着した状態のまま、網状部材２を海底Ｗ２の設置面Ｓ近傍の高さｈ１にスライドさせて（符号Ｘ）再固定し、サンゴの育成を継続することにより、サンゴの増殖又はサンゴ群体の成長を促進でき、その生育範囲を拡大できる。【選択図】図１
2018191615.tif 000002
【特許請求の範囲】
【請求項１】
海底の設置面から立設された各支柱に連結することで固定された略平面状の網状部材上でサンゴを育成するサンゴ育成用構造物であって、
前記設置面よりも嵩上げされた高さ、及び、前記設置面近傍の高さ、のいずれの位置にも、前記網状部材を固定できるサンゴ育成用構造物。
【請求項２】
前記設置面よりも嵩上げされた高さから前記設置面近傍の高さまで、前記網状部材上にサンゴが定着した状態のまま、該網状部材をスライドさせることが可能な請求項1記載のサンゴ育成用構造物。
【請求項３】
前記各支柱の外周のうち、前記設置面よりも嵩上げされた高さから前記設置面近傍の高さまでの範囲に、該部位を被覆する着脱可能な被覆材が取り付けられた請求項1又は請求項2記載のサンゴ育成用構造物。
【請求項４】
前記各支柱にそれぞれ2つのナットが螺合され、該ナット間に前記網状部材を挟み込んで締結することで該網状部材を固定するとともに、該両ナットの位置を移動させることで、前記網状部材の固定位置をスライドさせる請求項1〜請求項3のいずれか一項記載のサンゴ育成用構造物。
【請求項５】
海底の設置面から立設された各支柱に端側をそれぞれ連結させて固定した略平面状の網状部材上でサンゴを育成するサンゴ育成方法であって、
前記網状部材を前記設置面よりも嵩上げされた高さに固定し、該網状部材上でサンゴを育成する第一段階と、
前記網状部材上でサンゴが増殖した後、前記網状部材上にサンゴが定着した状態のまま、前記網状部材を前記設置面近傍の高さにスライドさせて固定し、サンゴの育成を継続する第二段階と、
を少なくとも含むサンゴ育成方法。
【発明の詳細な説明】
【技術分野】
【０００１】
本発明は、サンゴを育成する網状部材を二つの高さに固定できるサンゴ育成用構造物、及び、網状部材上にサンゴが定着した状態のままその網状部材をスライドさせるサンゴ育成方法などに関する。
【背景技術】
【０００２】
サンゴは、刺胞動物門に属する動物であり、炭酸カルシウムを主成分とする固い骨格を発達させるという特徴を有する。
【０００３】
サンゴの個体は、ポリプ（polyp）と呼ばれる構造をとる。サンゴのポリプは、ほとんどが1cm以下の大きさで、岩盤などに定着・固着し、炭酸カルシウムを主成分とした外骨格をつくる。各個体はそれぞれ他のポリプと接近した場所に定着・固着し、集まって群体を形成する。群体内で隣り合ったポリプ同士は、共通骨格を形成するとともに、共肉部という生きた組織で繋がっており、栄養のやり取りなども行う。
【０００４】
サンゴ群体の中には、大規模な骨格を自ら形成し、サンゴ礁を形成するものがあり、造礁サンゴと呼ばれる。造礁サンゴの体内には、褐虫藻が共生する。褐虫藻は、光合成により炭素化合物を合成し、そのほとんどをサンゴに供給したり、サンゴの呼吸により生じた二酸化炭素を酸素に変換したりなどしている。
【０００５】
サンゴは、有性生殖と無性生殖の両方を行って増殖する。多くのサンゴでは、年に一度、ポリプの口からバンドル（卵と精子のパッケージ）を産卵する。バンドルは海面近くではじけ、受精が起きる（有性生殖）。受精卵はプラヌラ幼生となって海中を漂い、海底に着底・変態し、一個のポリプとなる。ポリプは、骨格を作りながら、出芽により、周囲に新しいポリプを生み出し（無性生殖）、サンゴ群体を形成していく。
【０００６】
近年、多くのサンゴ礁が急速に破壊され、又は、危機に瀕しており、大きな問題となっている。例えば、沿岸開発、土砂・生活排水の流入などによる海水汚濁が、多くのサンゴに直接的な影響を与えている。また、地球温暖化などの異常気象で海水温が上昇することにより、サンゴから褐虫藻が抜け出し、多くのサンゴが白化し、その一部が回復せずに死滅している。その他、オニヒトデなどの食害によるサンゴの被害も甚大である。
【０００７】
それに対し、サンゴ礁の再生・保護のために、サンゴを育成・増殖する具体的な試みがいくつか提案されている。例えば、特許文献1には、サンゴ幼生を網状構造体及び網状構造体を敷設した基盤に着生させるサンゴ礁の造成方法が、特許文献2には、網状構造体の裏側にサンゴ幼生を着生させ、この網状構造体を反転して、水中の着生基盤に設置するサンゴ礁造成方法が、特許文献3には、格子状構造物よりなるサンゴ育成用構造物をポールにより海底と接触しないように支持し、海底より離して設置するサンゴ育成用構造物の設置方法が、特許文献4には、サンゴを差し込む保持孔が連続形成された網状部を本体とするサンゴ増殖・移植用マットが、それぞれ、記載されている。
【特許文献１】特許第4749848号公報
【特許文献２】特許第4907736号公報
【特許文献３】特開2012-223128号公報
【特許文献４】特開2011-125247号公報
【発明の開示】
【発明が解決しようとする課題】
【０００８】
本発明では、略平面状の網状部材上でサンゴを育成する場合において、サンゴの増殖又はサンゴ群体の成長を促進でき、その生育範囲を拡大できるサンゴ育成手段を提供することなどを目的とする。
【課題を解決するための手段】
【０００９】
本発明者は、略平面状の網状部材上でサンゴを育成する場合において、網状部材を海底の設置面よりも嵩上げされた高さに固定し、その網状部材上でサンゴを一定期間育成した後、その網状部材を海底の設置面近傍の高さにスライドさせ、サンゴの育成を継続することにより、サンゴ・サンゴ群体の生育範囲を網状部材上だけでなくその周辺の範囲にまで拡大させることができ、かつ網状部材上のサンゴ・サンゴ群体自体の増殖・成長を促進できることを新規に見出した。
【００１０】
そこで、本発明では、海底の設置面から立設された各支柱に連結することで固定された略平面状の網状部材上でサンゴを育成するサンゴ育成用構造物であって、前記設置面よりも嵩上げされた高さ、及び、前記設置面近傍の高さ、のいずれの位置にも、前記網状部材を固定できるサンゴ育成用構造物などを提供する。
【００１１】
このサンゴ育成用構造物は、前記設置面よりも嵩上げされた高さから前記設置面近傍の高さまで、前記網状部材上にサンゴが定着した状態のまま、該網状部材をスライドさせることが可能な構成を備える。
【００１２】
そのため、例えば、サンゴ育成基盤である網状部材を設置面よりも嵩上げされた高さに固定し、その網状部材上にサンゴを定着させ、そこでサンゴを一定期間育成した後、サンゴが定着した状態のまま、その網状部材を海底の設置面近傍の高さにスライドさせて再固定し、サンゴの育成を継続することにより、サンゴ・サンゴ群体が網状部材上に限局されずにそこからはみ出して増殖・成長していくことができるようになり、その生育範囲を、網状部材の範囲を超えて拡大させることができるようになる。
【００１３】
また、サンゴを一定期間育成した後、網状部材を海底の設置面近傍の高さにスライドさせてサンゴの育成を継続することにより、網状部材を設置面よりも嵩上げされた高さに固定したままでサンゴの育成を継続する場合よりも、網状部材上のサンゴ・サンゴ群体自体の増殖・成長をも促進させることができ、網状部材上のサンゴの被度を上昇させることができる。これは、サンゴ・サンゴ群体がある程度以上の大きさにまで成長すると、網状部材を海底の設置面近傍の高さに落としても、砂などの細粒分の堆積・巻き上げによる生育への影響を受けにくくなるとともに、網状部材を海底の設置面近傍の高さに落として固定することにより、波・流れなどによる網状部材の微細な揺動を抑制でき、より安定した条件でサンゴ・サンゴ群体が生育できるようになるためであると推測する。
【００１４】
その他、一定期間経過後、網状部材を海底の設置面近傍の高さにスライドさせることにより、網状部材への波・流れなどの影響を軽減できるため、網状部材の経年劣化に対する耐久性を向上できるという利点もある。
【発明の効果】
【００１５】
本発明により、サンゴの増殖又はサンゴ群体の成長を促進でき、その生育範囲を拡大できる。
【発明を実施するための最良の形態】
【００１６】
＜本発明に係るサンゴ育成用構造物について＞
本発明は、海底の設置面から立設された各支柱に連結することで固定された略平面状の網状部材上でサンゴを育成するサンゴ育成用構造物であって、前記設置面よりも嵩上げされた高さ、及び、前記設置面近傍の高さ、のいずれの位置にも、前記網状部材を固定できるサンゴ育成用構造物をすべて包含する。
【００１７】
以下、図1及び図2を用いて本発明の実施形態の例を説明する。なお、本発明は、以下に例示した実施形態のみに狭く限定されない。
【００１８】
図1は、本発明に係るサンゴ育成用構造物において、網状部材が設置面よりも嵩上げされた高さに固定された状態の例を示す外観斜視模式図、図2は、網状部材が設置面近傍の高さに固定された状態の例を示す外観斜視模式図である。
【００１９】
図1及び図2に例示されたサンゴ育成用構造物A、A’は、水面W下の海中W1において、海底W2の設置面Sから立設された支柱1、1、1、1と、各支柱1に連結することで固定された網状部材2と、網状部材2を支柱1に連結・固定する固定部材3と、を備え、網状部材2上には、サンゴ群体Cが定着している。このサンゴ育成用構造物A、A’は、網状部材2を、設置面Sの高さh0に対し、設置面Sよりも嵩上げされた高さh2、及び、設置面S近傍の高さh1、のいずれの位置にも、固定できる構成となっており、図1では、支柱1の外周のうち、設置面Sよりも嵩上げされた高さh2から設置面S近傍の高さh1までの範囲に、その部位を被覆する被覆部材4が取り付けられている。
【００２０】
サンゴ育成用構造物A、A’は、サンゴ育成基盤である網状部材2上でサンゴを育成するための構造体である。サンゴの生育可能な条件を備えた海域において、その海底W2の所定の設置面Sに設置される。
【００２１】
設置面Sは、サンゴの生育可能な条件を備えた海底W2の中から、サンゴ育成用構造物A、A’の設置場所として選択し設定した領域であり、設置可能な程度に面が形成された場所であればよい。例えば、砂・岩石などで形成された自然の海底面、若しくは消波構造物などの人工物によって形成された海底の人工面を、設置面Sとして設定してもよい。なお、設置面Sは略水平又は略平面に形成されている領域のみに限定されず、サンゴ育成用構造物A、A’の設置が可能な場所であれば、例えば、傾斜のある領域や凹凸のある領域などであってもよい。例えば、水深、日の差し込む方向・角度、海流の強さ・方向、海底面W1の状況、周辺環境なども勘案し、サンゴのより生育しやすい場所・向き・傾斜（角度）を備えていると判断される場所を、設置面Sとして選択する。
【００２２】
支柱1は、海流などによっても移動しないように設置面S上に固定されるとともに、網状部材2を設置面Sから浮かせて設置できるようにその脚となる部材であり、複数の支柱1、1、1、1と網状部材2とを、固定部材3を介して、それぞれの連結箇所で連結することで、網状部材2を所定の位置・高さに固定する。
【００２３】
各支柱1、1、1、1は、海底W2の設置面Sから立設される。支柱1の立設方向は、サンゴ育成用構造物Aの設置場所、その周囲環境、想定する網状部材2の設置向きなどに応じて適宜定めることができ、特に限定されないが、通常は、海底W2の設置面Sから上方に向けて略鉛直方向に、若しくは海底W2の設置面Sから上方に向けて該設置面Sの略垂直の方向に立設する。また、各支柱1、1、1、1間が相互に略平行になるように立設した方が、網状部材2のスライドを円滑に行うことができる。
【００２４】
支柱1には、長期間海中W1に設置したままでもその形態を保持できる高耐久性・高耐海水性を有する公知の棒状の部材を広く採用でき、その材質などは特に限定されない。支柱1として、例えば、アンカーボルトを用いてもよい。例えば、支柱1を海底W2の設置面Sに打ち込んで立設させることで、海流などに常時曝される環境下においても、海底W2の設置面Sに支柱1が立設された状態を長期間保持できる。
【００２５】
網状部材2は、サンゴ育成基盤として用いる略平面状の部材で、網状又は略格子状に形成された板状又はシート状の部材である。網状又は略格子状に形成されているため、素材自体で形成された実質部分とその間に形成された規則的な空隙部分とを有する。空隙部分の形状は特に限定されないが、一般的には、略円形または略方形である。空隙の大きさ（目合い）も、目的・用途に応じて適宜選択でき、特に限定されないが、例えば、その対角線長さ又は直径が1.0〜10cmの範囲のものが利用しやすい。
【００２６】
網状部材2には、公知のものを広く採用でき、特に限定されないが、網状部材2として、例えば、長期間海中W1に設置したままでもその形態を保持できる高耐久性・高耐海水性の素材で形成されたものが好ましく、また、少なくとも、海流などによって海中で一定の負荷が日常的にかかる状態でも、板状又はシート状の形態が保持される程度の剛性を有する高形状保持性の素材で形成されたものが好ましい。そのような網状部材2として、例えば、ステンレス製板状材、ナイロン系・ポリエステル系・ポリプロピレン系などの合成繊維を編網して形成した合成樹脂製網材、ポリエチレン系、ポリプロピレン系、EVA樹脂などの合成樹脂を網状又は略格子状に成型加工して形成された合成樹脂製板状材、などを採用してもよい。また、少なくとも網状部材2を下方へスライドさせる時期においてもその形態を保持できるように形成されるのであれば、網状部材2として生分解性素材で形成されたものを採用してもよい。採用可能な生分解性素材として、例えば、ポリブチレンサクシネート系樹脂（例えば、ポリブチレンサクシネート、ポリブチレンサクシネート／アジペート、ポリブチレンサクシネート／テレフタレートなど）、ポリ乳酸、ポリヒドロキシブチレート、ポリカプロラクトン、ポリエチレンサクシネート、ポリビニルアルコール、デンプン、酢酸セルロースなどが挙げられる。なお、網状部材2を形成する材料として、目的・用途などに応じ、例えば、これら材料の中のいずれか複数の混合物、又は、これらを主成分とし、他の成分も含有させたものなどを適宜採用している場合も、本発明に広く包含される。
【００２７】
設置・固定する網状部材2（の表面）の向き・角度は、例えば、サンゴの好適な育成環境にするとの観点で、日の差し込む方向・角度、海流の強さ・方向、海底面W1の状況、周辺環境などに応じて適宜定めることができる。即ち、例えば、網状部材2（の表面）が略水平又は設置面Sと略平行になるように設置・固定する場合のほか、網状部材2（の表面）が特定の方向に傾斜した状態になるように設置・固定してもよい。例えば、支柱1を移動させずに、支柱1ごとに、網状部材2と連結する部位の高さを調整することによって、網状部材2を所定の方向に傾斜した状態に設置・固定できる。
【００２８】
本発明では、網状部材2上にサンゴCを定着させ、育成する。サンゴCを網状部材2上に定着させる手段は、公知のものを広く採用でき、特に限定されない。
【００２９】
例えば、網状部材2上に、海中を漂うプラヌラ幼生を着生・定着させ、網状部材2上でサンゴCを育成してもよい。その場合、表面が粗面形成された網状部材2を用いてもよい。表面が粗面形成された網状部材2、例えば、溝の深さ1.0〜50μmの凹凸が表面に形成された網状部材2を採用することにより、表面のざらつき（細かい凹凸）によってプラヌラ幼生の着生量が増加する。なお、金型成型などの際に合成樹脂成型品の表面を粗面形成する技術は、公知の方法、例えば、シボ加工などにより、表面を滑面形成する場合よりも、簡易かつ安価に行うことができる。
【００３０】
また、例えば、網状部材2上に、（生存している）サンゴ断片を取り付け、網状部材2上でサンゴCを育成してもよい。例えば、網状部材2の空隙部分にサンゴ断片を挿し込んで固定したり、網状部材2にサンゴ断片を結索して固定したりすることにより、網状部材2上にそのサンゴ断片又はそれ由来のサンゴCを定着させ、育成することができる。
【００３１】
さらには、例えば、網状部材2上に、他のサンゴ育成基盤上で種苗生産されたサンゴ又はその一部分を、網状部材2上に取り付けたり、若しくは基盤ごと網状部材2上に取り付けたりして、網状部材2上でサンゴCを育成してもよい。サンゴCがある程度の大きさになるまで他のサンゴ育成基盤上で生育させた後、その種苗サンゴを本発明に係る網状部材2上に移植することにより、より短期間で確実にサンゴCを網状部材2上に定着させることができ、その後の育成も容易になる。
【００３２】
サンゴCを網状部材2上に定着させ、一定期間サンゴCを育成する際には、網状部材2を設置面S（の高さh0）よりも嵩上げされた高さh2に固定する。ここで、設置面Sよりも嵩上げされた高さh2は、設置面Sと網状部材2とが略接触せずに離隔する高さであればよく、サンゴCの状態や育成環境などに応じて適宜定めることができる。例えば、設置面Sと網状部材2の裏面とが、全体に亘って略均一に、略平行の状態で所定の高さだけ離隔しているように網状部材2を固定してもよいし、網状部材2が所定の向きに傾斜した状態であり、網状部材2の全裏面が設置面Sと略離隔し、かつ両者の最接近部分でも所定の高さだけ離隔しているように網状部材2を固定してもよい。例えば、各支柱1の立設部位において、設置面Sと網状部材2と間の距離が、接近部分でも5〜50cmになるように、網状部材2を設置面Sよりも嵩上げしてもよい。
【００３３】
一方、このサンゴ育成用構造物A、A’では、サンゴCを網状部材2上に定着させ、一定期間サンゴCを育成した後、設置面Sよりも嵩上げされた高さh2から設置面S近傍の高さh1まで、網状部材2上にサンゴCが定着した状態のまま、網状部材2を下方へスライドさせる（図1中、符号X参照）ことが可能である。
【００３４】
例えば、図2に示すように、網状部材2上にサンゴCが定着した状態のまま、また、網状部材2の面を略水平に保ったまま若しくはその面の向き及び傾斜を同じに保ったまま、移動前と同じ領域の下方の位置に網状部材2を移動させる（落とし込む）ことで、網状部材2上のサンゴ・サンゴ群体Cの増殖・成長をも促進させることができ、さらに、サンゴ・サンゴ群体C’が網状部材2上からはみ出して増殖・成長していくことができるようになる。
【００３５】
設置面S近傍の高さh1は、原則的には、設置面Sと網状部材2の裏面とが少なくとも一部分で略接触する程度にまで近接させた高さである。若しくは、例えば、網状部材2がスライド後も所定の向きに傾斜した状態で固定される場合は、設置面Sと網状部材2の裏面とが最接近する部分の高さである。即ち、設置面S近傍の高さh1は、固定部材3の高さの分だけ設置面Sと網状部材2とが完全には接触しない場合を考慮しつつ、例えば、各支柱1の立設部位において、設置面Sと網状部材2と間の距離が、（最接近部分で）0〜4cmとなる高さである。
【００３６】
本発明に係るサンゴ育成用構造物A、A’では、設置面Sよりも嵩上げされた高さh2、及び、設置面S近傍の高さh1、のいずれの位置にも、前記網状部材を固定できなければならない。即ち、網状部材2を設置面S近傍の高さh1までスライドさせた後、単にその高さまで網状部材2を落とし込むだけではなく、落とし込んだ状態で支柱1にしっかりと固定しなければならない。もし、網状部材2をスライドさせた後、その高さで固定しなかった場合、海流などによって網状部材2を逸失する可能性があるほか、もし網状部材2が設置場所に留まったとしても、海流による揺動で網状部材2の位置が不安定化することにより、却って、網状部材2上のサンゴ・サンゴ群体Cの増殖・成長が抑制・阻害される。設置面Sよりも嵩上げされた高さh2だけでなく、設置面S近傍の高さh1にも網状部材2を固定できるようにするためには、サンゴ育成用構造物Aを設置する段階で、一定期間経過後に網状部材2を所定の高さにスライドさせることを予め想定し、それが可能な形態に、支柱1及び固定部材3を形成しておく必要がある。
【００３７】
固定部材3は、支柱1と網状部材2とを所定の高さで連結し、固定する部材である。固定部材3は、海中W1で長期間に亘って網状部材2を支柱1に固定でき、かつ設置面Sよりも嵩上げされた高さh2、及び、設置面S近傍の高さh1、のいずれの位置であっても、網状部材2を固定できるものであればよく、公知の手段を広く採用でき、特に限定されない。
【００３８】
例えば、図1、図2に示すように、支柱1を、その外周に雄ねじ状の溝が形成されナットを螺合できる構成にし、固定部材3を、1つの支柱につき2つのナットで形成されることとし、各ナットを、中央を直通する開口部の内壁に雌ねじ状の溝が形成され、支柱1に螺合可能な構成とする。そして、前記各支柱1、1、1、1にそれぞれ2つのナット31、32が螺合され、該ナット31、32間に前記網状部材2を挟み込んで締結することで該網状部材2を固定するとともに、該両ナット31、32の位置を移動させることで、前記網状部材の固定位置をスライドさせるようにしてもよい。
【００３９】
その場合、設置面Sよりも嵩上げされた高さh2で支柱1に網状部材2を固定する際には、例えば、支柱1にナット32を挿し込んで所定方向に回し、下側のナット32を高さh2にまで下方に向けて移動させた後、網状部材2を下側のナット32上に載せるように配置し、次に、上側のナット31を挿し込んで所定方向に回して下方に向けて移動させ、特定の位置に止められている下側のナット32と、上側のナット31とで網状部材2を挟み込んでいくことで、上側のナット31の回し具合に応じて網状部材2を強固に固定できる。
【００４０】
一方、設置面S近傍の高さh1で支柱1に網状部材2を固定する際には、例えば、高さh2に位置するナット32を所定方向に回し、設置面Sの高さh0（又はh1）まで下方に向けて移動させ、網状部材2を下側のナット32上に載せるように配置し、次に、上側のナット31を所定方向に回して下方に向けて移動させ、設置面S近傍に位置する下側のナット32と、上側のナット31とで網状部材2を挟み込んでいくことで、上側のナット31の回し具合に応じ、設置面S近傍の高さh1で網状部材2を強固に固定できる。
【００４１】
上記構成のほか、例えば、固定部材3が、支持材と取付具で構成され、前記支持材は支柱1、1間に横架され、かつ各支柱1と連結される部材であり、前記取付具は該支持材に網状部材2を取付ける部材である構成を採用してもよい。支持材として、例えば、公知の棒材、紐材などを、取付具として、例えば、公知の結束紐、留め金具などを、支柱1と支持材との連結手段として、例えば、公知の結束紐、留め金具などを、広く採用できる。
【００４２】
その場合、網状部材2の固定位置を、設置面Sよりも嵩上げされた高さh2から設置面S近傍の高さh1にスライドさせる際には、例えば、支柱1と支持材との連結を一端解除し、支持材を下方にスライドさせ、支柱1と支持材とを再連結することで行うことができる。
【００４３】
その他、例えば、設置面Sよりも嵩上げされた高さh2に網状部材2を固定する際の固定部材3が、その高さと同じ長さを有するスペーサである構成であってもよい。
【００４４】
その場合、例えば、各支柱1にスペーサをそれぞれ固定するとともに各スペーサに網状部材2を支持させ、固定する。そして、網状部材2の固定位置を、設置面Sよりも嵩上げされた高さh2から設置面S近傍の高さh1にスライドさせる際には、各スペーサを取り外し、網状部材2を下方にスライドさせた後、支柱1と網状部材2とを、公知の結束紐、留め金具など、別途の固定部材3を介して再連結・再固定する。
【００４５】
スペーサとしては、海中W1に長期間設置される条件下で、網状部材2及びその上で育成するサンゴ・サンゴ群体Cの重量負荷があっても一定期間破砕しない材料であればよく、公知のものを広く採用でき、特に限定されない。その形状も特に限定されないが、例えば、略直方体、略円柱状のものなどを採用してもよい。
【００４６】
本発明に係るサンゴ育成用構造物A、A’では、前記各支柱1、1、1、1の外周のうち、前記設置面Sよりも嵩上げされた高さh2から前記設置面S近傍の高さh1までの範囲に、該部位を被覆する着脱可能な被覆材4が取り付けられていてもよい。
【００４７】
サンゴ育成用構造物Aは、まず、設置面Sよりも嵩上げされた高さh2に網状部材2を固定した状態で、海中W1に長期間設置される。そのため、網状部材2を設置面S近傍の高さh1までスライドさせるまでの間に、サンゴ育成用構造物Aに多数の付着生物が強固に付着して、特に支柱1に付着した付着生物が網状部材2をスライドさせる際の障害となり、自由に網状部材を落とし込むことが難しくなる場合がある。そのため、サンゴ育成用構造物Aを設置する段階で、一定期間経過後に網状部材2を所定の高さにスライドさせること、そして付着生物が支柱1などに付着する可能性を予め想定し、それを回避できるように備えておく必要がある。そのための方策の一形態として、例えば、各支柱1、1、1、1の外周のうち、設置面Sよりも嵩上げされた高さh2から設置面S近傍の高さh1までの範囲に、その部位を被覆する被覆材4を予め取り付けておいてもよい。
【００４８】
被覆材4は、構造物A中の所定部位を予め被覆しておくことで、その部位に付着生物が直接付着することを妨害するための部材である。付着生物が付着すると網状部材2をスライドする際の障害となる部位、例えば、各支柱1、1、1、1の外周のうち、設置面Sよりも嵩上げされた高さh2から設置面S近傍の高さh1までの範囲に、被覆材4を取り付ける。また、例えば、固定部材3と支柱1との連結部位及びその近傍にも被覆材4を取り付けてもよい。構造物A中の所定部位を被覆材4で予め被覆しておくことで、その部位に付着生物が付着することを妨害できるため、付着生物に妨害されることなく、網状部材2を円滑に設置面S近傍の高さh1までスライドさせることができる。
【００４９】
被覆材4は、原則的に、一定期間経過後、網状部材2をスライドする際に取り外す。そのため、被覆材4には、着脱可能な部材を用いる。被覆材4は、付着生物の付着を防除する目的で特定の部位を被覆できる着脱可能な部材であればよく、公知のものを広く採用でき、狭く限定されない。被覆材4として、例えば、海中W1でも支柱1などに巻き付けて貼り付けることが可能なビニールテープなどの伸縮性貼付材、付着生物の付着を防除したい部位を囲んだ状態に取り付けることが可能な合成樹脂製又は金属製のケース（例えば、開閉自在なもの、二以上の部材を結合させることで被覆された形態に固定されるものなどを含む。）などを採用してもよい。その他、例えば、設置面Sよりも嵩上げされた高さh2に網状部材2を固定する際の固定部材3が、その高さと同じ長さを有するスペーサである構成の場合は、固定部材3（スペーサ）と被覆材4とが一体形成されたものであってもよい。その場合、例えば、そのスペーサを、設置時から網状部材2を下方へスライドさせる時期までその形態を保持することが可能な生分解性素材で形成してもよい。ここでの生分解性素材にも、例えば、上述のものを採用できる。
【００５０】
なお、図1では、一つの支柱1のみに被覆部材4が取り付けられているが、網状部材2が設置面Sよりも嵩上げされた高さh2に固定されている場合、必要であれば、原則的には、全支柱1に被覆部材4が取り付けられる。
【００５１】
＜本発明に係るサンゴ育成方法について＞
本発明は、海底の設置面から立設された各支柱に端側をそれぞれ連結させて固定した略平面状の網状部材上でサンゴを育成するサンゴ育成方法であって、前記網状部材を前記設置面よりも嵩上げされた高さに固定し、該網状部材上でサンゴを育成する第一段階と、前記網状部材上でサンゴが増殖した後、前記網状部材上にサンゴが定着した状態のまま、前記網状部材を前記設置面近傍の高さにスライドさせて固定し、サンゴの育成を継続する第二段階と、を少なくとも含むサンゴ育成方法を広く包含する。
【００５２】
このサンゴ育成方法では、サンゴ育成基盤である網状部材を海底の設置面よりも嵩上げされた高さに固定しサンゴを育成する第一段階と、その網状部材を設置面近傍の高さにスライドさせ、サンゴの育成を継続する第二段階と、が少なくとも含まれる。
【００５３】
第一段階では、サンゴ・サンゴ群体を定着させた網状部材を海底の設置面よりも嵩上げされた高さに固定し、その状態で、一定期間サンゴ・サンゴ群体を育成する。
【００５４】
網状部材を海底の設置面から浮かせてサンゴ・サンゴ群体を育成することにより、海底砂などの細粒分が降りかかってサンゴ・サンゴ群体上に堆積したり、それらの細粒分が巻き上げられてサンゴを傷つけたりすることなどを抑止できるため、より良好にサンゴ・サンゴ群体を育成することができる。
【００５５】
網状部材、サンゴの網状部材への定着手段、嵩上げされる高さなどは、例えば、上述のものを採用できる。
【００５６】
この第一段階によるサンゴ・サンゴ群体の育成期間については、サンゴの生育状況などによって適宜設定・変更することができ、特に限定されない。例えば、2〜5年、若しくは網状部材上におけるサンゴ被度が10％以上、より好適には15％以上になった時点を、第二段階に移行する目安としてもよい。
【００５７】
続いて、第二段階では、第一段階の育成によりサンゴ・サンゴ群体がある水準以上にまで増殖したら、網状部材上にサンゴが定着した状態のまま、網状部材を設置面近傍の高さにスライドさせ、その状態で固定し、サンゴの育成を継続する。
【００５８】
サンゴ・サンゴ群体がある水準にまで生育した段階で、網状部材を海底の設置面近傍の高さに落として固定することにより、サンゴ・サンゴ群体が網状部材上に限局されずにそこからはみ出して増殖・成長していくことができるようになり、その生育範囲を、網状部材の範囲を超えて拡大させることができるようになる。
【００５９】
網状部材をスライドさせる手段、スライド後網状部材を再固定する手段、再固定後の網状部材の設置高さなどは、例えば、上述のものを採用できる。
【実施例１】
【００６０】
実施例1では、サンゴ育成基盤を嵩上げした高さに固定したままサンゴを育成した場合と、サンゴ育成基盤を途中で海底面の高さにスライドさせてサンゴの育成を継続した場合とのサンゴの増殖の度合を比較した。
【００６１】
まず、二つのサンゴ育成基盤を海底に並べて設置した。それぞれ、サンゴの生育可能な海域の水深5mの海底にアンカーボルトを4本、略鉛直に打ち込み、粗面加工された合成樹脂製の略平面状・略格子状・矩形のサンゴ育成基盤の周縁近傍の部位をアンカーボルトにそれぞれ締結してその育成基盤を海底から約20cmの高さに略水平に固定した。アンカーボルト、及び、アンカーボルトと育成基盤との締結部位には、ビニールテープを巻き付け、それらの部位を付着生物から保護した。
【００６２】
このサンゴ育成基盤を海底に設置してから一年後、両基盤とも、基盤上にサンゴ幼生が着生し、サンゴが定着・増殖していた。
【００６３】
設置から二年間、両サンゴ育成基盤をそのままにしておいた後、一方の基盤では、ビニールテープをはがし、サンゴが定着した状態のまま基盤を海底の高さに落とし、その高さでアンカーボルトと基盤を締結し、再固定した。そして、両基盤とも育成を継続した。
【００６４】
結果を図3に示す。図3は、サンゴ育成基盤を途中で海底面の高さにスライドさせてサンゴの育成を継続した場合におけるサンゴ育成基盤上のサンゴ被度の変化を示す。同図中、横軸はサンゴ育成基盤設置からの経過年数（単位：年）、縦軸は同基盤上におけるサンゴ被度（単位：％）を、棒線Aはサンゴ育成基盤を嵩上げした高さに固定したままサンゴを育成した場合のサンゴ被度（対照）を、棒線Bはサンゴ育成基盤を途中で海底面の高さにスライドさせてサンゴの育成を継続した場合のサンゴ被度を、それぞれ表す。
【００６５】
その結果、図3に示す通り、サンゴ育成基盤を嵩上げした高さに固定したままサンゴを育成した場合、及び、サンゴ育成基盤を途中で海底面の高さにスライドさせてサンゴの育成を継続した場合の両方で、サンゴ被度は年数経過とともに増加していったが、サンゴ育成基盤を途中で海底面の高さにスライドさせてサンゴの育成を継続した場合の方が、サンゴ育成基盤を嵩上げした高さに固定したままサンゴを育成した場合と比較して、より顕著にサンゴ育成基盤上におけるサンゴ被度が上昇した。
【００６６】
その他、サンゴ育成基盤を途中で海底面の高さにスライドさせてサンゴの育成を継続した場合、設置から四年目では、サンゴ育成基盤上だけでなく、サンゴ育成基盤からはみ出して水平方向に拡がり、基盤の外にまで枝・塊体を伸ばし、その一部が直接海底に定着している個体が複数観察された。
【図面の簡単な説明】
【００６７】
【図１】本発明に係るサンゴ育成用構造物において、網状部材が設置面よりも嵩上げされた高さに固定された状態の例を示す外観斜視模式図。
【図２】本発明に係るサンゴ育成用構造物において、網状部材が設置面近傍の高さに固定された状態の例を示す外観斜視模式図。
【図３】実施例1において、サンゴ育成基盤を途中で海底面の高さにスライドさせてサンゴの育成を継続した場合におけるサンゴ被度の変化を示すグラフ。
【符号の説明】
【００６８】
1          支柱
2          網状部材
3          固定部材
4          被覆部材
A、A’      サンゴ育成用構造物
C          サンゴ・サンゴ群体
S          海底W1の設置面
W          水面
W1          海中
W2          海底
【図１】
2018191615.tif 000003
【図２】
2018191615.tif 000004
【図３】
2018191615.tif 000005